(57)【要約】【課題】本発明は、レインコートまたは撥水性コートに、固着されたゴーグル又はメガネ付きの取り外し可能なフードを装着した、ゴーグル又はメガネ一体型フード付きレインコート又は撥水性コートを提供し、雨天時に自転車を走行中、フードが飛ばぬようにする。【解決手段】本発明は、フードの前方上部にゴーグル又はメガネの上部を固着させ、ゴーグル又はメガネの柄の部分でもって、耳にかける事により、更に密着性や安定感を確保し、風量や風向きに左右されず、視界良好な走行を可能にする。【選択図】図４
2017089076.tif 000002
【特許請求の範囲】
【請求項１】
フードの下方後部をレインコート又は撥水性コート本体の襟部に着脱可能に取り付け、前記フードの前方上部にゴーグル又はメガネの上部を固着し、前記ゴーグル又はメガネの側部が耳に保持される柄部を有する、フード付きコート。
【発明の詳細な説明】
【技術分野】
【０００１】    本発明は、レインコート又は撥水性コートに、固着されたゴーグル又はメガネ付きの取り外し可能なフードを装着した、ゴーグル又はメガネ一体型コートを提供するものである。
【背景技術】
【０００２】    従来のレインコートのフードは、フード自体を顔の中心部に向かって紐で縛るタイプのものや、下記先行技術文献に示すように、ひさし、サンバイザーのような物で、頭上や顔、又は顔の上部を覆う物であった。ひさしやサンバイザーは、雨の日の「傘」という物の概念から外れない為か、頭部上方から降ってくる雨に対して、「遮る」ものであった。
【先行技術文献】
【特許文献】
【０００３】
【特許文献１】特開２０１４−１１４５３２号公報
【特許文献２】実用新案登録第３１７４４１４号公報
【発明の概要】
【発明が解決しようとする課題】
【０００４】    従来のフード等では、顔との密着性に欠け、風の強い時や、風の角度によっては、フードが外れ、頭部や顔が濡れてしまう。又、サンバイザーに至っては、取り付けに手間取る、かさ張る等の問題が生じる。また、風の強さや風向きによっては、レインコートのフード又はサンバイザーが風によって脱げてしまうという問題があった。【０００５】    本発明は、雨の日にフード付きレインコート又は撥水性コートを着て自転車を走行する際、風でフードが脱げてしまうのを防ぐ為の、フード付きコートを得る事を目的とするものである。
【課題を解決するための手段】
【０００６】    本発明は、フードの下方後部を、レインコート又は撥水性コート本体の襟部に着脱可能に取り付け、前記フードの前方上部にゴーグル又はメガネの上部を固着し、前記ゴーグル又はメガネの両側部を耳に保持される柄部を有するゴーグル又はメガネ一体型コートを提供する。
【発明の効果】
【０００７】    本発明は、レインコート又は撥水性コート本体のフードの前方上部に、ゴーグル又はメガネの上部が固着しており、更には、フードの両側面の内側において、ゴーグル又はメガネの柄の部分が、メガネと全く同じ構造上の特性により、耳で保持されている為、頭上で「遮られている」のではなく、フードが目元二箇所において固定されているため、メガネと同様に、視界はどこまでもクリアで、「メガネは顔の一部です」という言葉があるように、自然な密着性を可能とする。【０００８】    本発明のフード付きコートは、フードが風で飛ばないというばかりでなく、その固着部分をゴーグル又はメガネとすることによって、より合理的且つ簡略化をはかれ、現代人の忙しい日常においても、ワンステップで着て出掛けられるという身軽さで、すなわち、装具の忘れや紛失も防ぐことができる。さらに、ゴーグル又はメガネの持つ利点としては、ゴーグル又はメガネ自体に撥水加工が施せること、ＵＶカットレンズや、視力の悪い方に向けては、レンズ自体に度を入れることも可能である。そして何よりも、フード自体を簡単に取り外すことができるので、雨の日に、自転車に乗らずに出掛ける際には、オシャレな「街用」のレインコート又は撥水性コートとして着ていくことが出来る。この発明は、小さな子供からお年寄り、そして男女を問わず幅広く応用でき、雨の日のわずらわしさや課題を取り除き、安全性まで確保することが出来る。
【図面の簡単な説明】
【０００９】
【図１】本発明におけるゴーグル又はメガネの一例を示す斜視図。
【図２】本発明におけるフード部分の一例である正面図。
【図３】本発明におけるレインコート又は撥水性コートの一例である上部正面図。
【図４】本発明におけるフードをレインコート又は撥水性コート本体に装着した状態図。
【図５】図４のフードおよびレインコート又は撥水性コート本体を人が着用した状態図。
【図６】図５の全体正面図。
【図７】フードを取り外した際のレインコート又は撥水性コート本体の人体への装着図。
【発明を実施するための形態】
【００１０】    以下、本発明の実施の形態を図１〜図７に基づいて説明する。
【００１１】    図において、１はゴーグル又はメガネの上部、２はゴーグル又はメガネのレンズ、３はゴーグル又はメガネの柄部、４はフードの前面顔上部、５はフードの両側面部、６はフード本体、７はフードに形成されたレインコート又は撥水性コート本体との結合部、８はフードに形成されたレインコートまたは撥水性コート本体との結合部（ホック、ボタン、ファスナー等）、９はレインコート又は撥水性コートの襟部、１０はレインコート又は撥水性コート本体を示す。
【００１２】    図に示すレインコート又は撥水性コートは、コートの結合部８とフードの結合部７とで、両者が確実に結合される。そして、本発明は、レインコート又は撥水性コート本体１０に結合されたフード６の前方上部４に、ゴーグル又はメガネの上部１が接着剤等で完全に固着され、さらに、ゴーグル又はメガネの柄３の部分で、フードの両側面５の内側において耳で保持されており、二箇所による安定性でもって、雨の日の自転車走行中にフードが脱げてしまったり、フードが視界を塞いだりすることなく、快適な雨天時の自転車走行を可能にする。そして、頭が雨に濡れないだけでなく、ゴーグル又はメガネの特性により、レンズ２の部分で、目元が雨に濡れる事を防ぎ、視界が保たれ、これにより特に女性はアイメイクやマスカラが落ちずに済む。また、その部分さえ濡れなければ、走行中の視界の妨げにはならず、よって顔半分を覆う事もなくなるので、圧迫感もなくなる。さらには、鼻も外に露出されている為、冬などに鼻から呼吸をする際の湿気もこもらず、呼吸もスムーズである。晴れの日にサングラスをかけて出掛けるような身軽な感覚で、雨の日の自転車走行を快適なものにする。また、雨の日に自転車に乗らない場合も、フード６下方にある７、８の結合部（ホック、ぼたん、又はファスナー等）を外すだけで、雨の日用のレインコート又は撥水性コート本体１０として街で着ることも可能である。この１０のレインコート又は撥水性コート本体の素材に上質なものを使用し、レインコート又は撥水性コートそのもののシルエットやラインをこだわった物にすれば、実用性だけでなく、ファッション性も兼ね備えることができる。既存の自転車用等の『レインコート』は、機能的であればファッション性はなく、ファッション性があれば、機能性はない、という、要は、ださくて便利か、オシャレで不便かの二分化されていた。本発明は、特に雨天時に自転車に乗るに際し、新しいレインコート又は撥水性コートの価値を見出すものである。
【符号の説明】
【００１３】１  ゴーグル又はメガネの上部
２  ゴーグル又はメガネのレンズ
３  ゴーグル又はメガネの柄部
４  フードの前面顔上部
５  フードの両側面部
６  フード本体
７  フードに形成されたレインコート又は撥水性コートとの結合部
８  レインコート又は撥水性コートに形成されたフードとの結合部
９  レインコート又は撥水性コートの襟部
１０  レインコート又は撥水性コート本体
【図１】
2017089076.tif 000003
【図２】
2017089076.tif 000004
【図３】
2017089076.tif 000005
【図４】
2017089076.tif 000006
【図５】
2017089076.tif 000007
【図６】
2017089076.tif 000008
【図７】
2017089076.tif 000009